(57)【要約】【課題】分断部を分断させるための分断孔からオイルが浸入し難くすることにより、製造コストを抑制しつつ、オイル中の導電性異物による意図しない導通を回避することができるインヒビタスイッチ及びその製造方法を提供する。【解決手段】ミッションケース内に固定される端子台２と、接点板３、４と、車両のセレクトレバーと連動して接点板３、４に沿って動作する操作部５と、接点板３、４上を摺動してその接触位置に応じた所定の電気的回路を形成し得る可動接点５ｂと、分断されて導通の遮断が図られる分断部８、９と、端子台２における分断部８、９に対応する位置に形成され、当該分断部８、９を分断すべく切除手段７を嵌入するための分断孔１０とを具備し、電気的回路からセレクトレバーの変速位置を検知するためのインヒビタスイッチ１において、分断孔１０の周縁部に立設された壁部１１を具備したものである。【選択図】図５
2007285490.tif 000002
【特許請求の範囲】
【請求項１】
車両の自動変速機のミッションケース内に固定される端子台と、
該端子台に形成された接点板と、
車両のセレクトレバーと連動して接点板に沿って動作する操作部と、
該操作部に形成され、前記接点板上を摺動してその接触位置に応じた所定の電気的回路を形成し得る可動接点と、
前記接点板に形成され、端子台の所定位置に配設された後、分断されて導通の遮断が図られる分断部と、
前記端子台における前記分断部に対応する位置に形成され、当該分断部を分断すべく切除手段を嵌入するための分断孔と、
を具備し、前記電気的回路から前記セレクトレバーの変速位置を検知するためのインヒビタスイッチにおいて、
前記分断孔の周縁部に立設された壁部を具備したことを特徴とするインヒビタスイッチ。
【請求項２】
前記壁部は、前記端子台と一体成形された部位であることを特徴とする請求項１記載のインヒビタスイッチ。
【請求項３】
前記壁部は、前記分断孔の全周に亘って形成されたことを特徴とする請求項１又は請求項２記載のインヒビタスイッチ。
【請求項４】
車両の自動変速機のミッションケース内に固定される端子台と、
該端子台に形成された接点板と、
車両のセレクトレバーと連動して接点板に沿って動作する操作部と、
該操作部に形成され、前記接点板上を摺動してその接触位置に応じた所定の電気的回路を形成し得る可動接点と、
前記接点板に形成され、端子台の所定位置に配設された後、分断されて導通の遮断が図られる分断部と、
前記端子台における前記分断部に対応する位置に形成され、当該分断部を分断すべく切除手段を嵌入するための分断孔と、
を具備し、前記端子台を成形するとともに、前記接点板を当該端子台の所定位置に配設した後、前記接点板に形成された分断部を分断して導通を遮断することによって所定の回路を得るインヒビタスイッチの製造方法において、前記端子台の成形時、前記分断孔の周縁を立ち上げて壁部を一体成形することを特徴とするインヒビタスイッチの製造方法。
【請求項５】
前記壁部は、前記分断孔の全周に亘って形成されたことを特徴とする請求項４記載のインヒビタスイッチの製造方法。
【発明の詳細な説明】
【技術分野】
【０００１】
本発明は、車両の自動変速機のミッションケース内に配設され、セレクトレバーの変速位置を検知するためのインヒビタスイッチ及びその製造方法に関するものである。
【背景技術】
【０００２】
自動車における自動変速機には、セレクトレバーの変速位置を検出すべく、通常、そのミッションケース内にインヒビタスイッチが配設されている。かかるインヒビタスイッチは、自動変速機のミッションケース内に固定される端子台と、該端子台に形成された接点板と、車両のセレクトレバーと連動して接点板に沿って動作する操作部と、該操作部に形成され、接点板上を摺動してその接触位置に応じた所定の電気的回路を形成し得る可動接点とを具備していた。
【０００３】
しかして、インヒビタスイッチはミッションケース内に満たされたオイル中で動作することとなり、その可動接点の接点板との接触位置に応じて形成される電気的回路から、セレクトレバーの変速位置を検知することができ、当該検知に基づき自動変速機の動力伝達経路をセレクトレバーの変速位置に対応させて制御することができるよう構成されている（例えば特許文献１参照）。
【０００４】
このようなインヒビタスイッチにおいては、並行して延設された複数列の接点板が端子台に形成されるのであるが、従来より、製造過程においてそれら複数列の接点板がばらばらに分離しないよう、隣り合う列同士を連結する分断部が形成されている。そして、分断部により一体とされた接点板を端子台の所定位置に配設した後、当該分断部をパンチなどにより分断し、電気的導通を遮断すれば、製造過程において列毎に分離してしまうのを回避するとともに、分断後は列毎の所望の電気的導通を図ることができるのである。
【特許文献１】特開２００２−１７５７４３号公報
【発明の開示】
【発明が解決しようとする課題】
【０００５】
しかしながら、上記従来のインヒビタスイッチにおいては、各分断部の分断箇所における破断面が外部に曝された状態となり、且つ、分断部の分断箇所に電気的不具合を回避するための何らの対策が講じられていないため、以下の如き問題があった。即ち、ミッションケース内のオイルには、微小な金属粉など導電性異物が浮遊していることが多く、かかる導電性異物が接点板の分断部に跨って付着しまうと意図しない導通がなされ、ショート等電気的不具合が生じてしまう可能性があるという問題があった。
【０００６】
特に、インヒビタスイッチにおいては、操作部の動作により端子台表面に沿ってオイルが強制的に流動することとなり、そのオイルが分断孔から浸入して分断箇所に至ると、含有する導電性異物によって電気的不具合が生じてしまう可能性があった。即ち、従来の分断孔は、分断部に対応して位置で単に開口しているのみであったため、操作部の摺動に伴って流れるオイルが浸入し易くなっていたのである。
【０００７】
然るに、端子台に対して二次成形を施し、その二次成形樹脂を分断部の分断箇所に充填させることにより、当該分断箇所に導電性異物が付着して電気的不具合が生じてしまうのを回避することも考えられるが、その場合、二次成形の工程分だけ製造コストが嵩んでしまうという問題があった。
【０００８】
本発明は、このような事情に鑑みてなされたもので、分断部を分断させるための分断孔からオイルが浸入し難くすることにより、製造コストを抑制しつつ、オイル中の導電性異物による意図しない導通を回避することができるインヒビタスイッチ及びその製造方法を提供することにある。
【課題を解決するための手段】
【０００９】
請求項１記載の発明は、車両の自動変速機のミッションケース内に固定される端子台と、該端子台に形成された接点板と、車両のセレクトレバーと連動して接点板に沿って動作する操作部と、該操作部に形成され、前記接点板上を摺動してその接触位置に応じた所定の電気的回路を形成し得る可動接点と、前記接点板に形成され、端子台の所定位置に配設された後、分断されて導通の遮断が図られる分断部と、前記端子台における前記分断部に対応する位置に形成され、当該分断部を分断すべく切除手段を嵌入するための分断孔とを具備し、前記電気的回路から前記セレクトレバーの変速位置を検知するためのインヒビタスイッチにおいて、前記分断孔の周縁部に立設された壁部を具備したことを特徴とする。
【００１０】
請求項２記載の発明は、請求項１記載のインヒビタスイッチにおいて、前記壁部は、前記端子台と一体成形された部位であることを特徴とする。
【００１１】
請求項３記載の発明は、請求項１又は請求項２記載のインヒビタスイッチにおいて、前記壁部は、前記分断孔の全周に亘って形成されたことを特徴とする。
【００１２】
請求項４記載の発明は、車両の自動変速機のミッションケース内に固定される端子台と、該端子台に形成された接点板と、車両のセレクトレバーと連動して接点板に沿って動作する操作部と、該操作部に形成され、前記接点板上を摺動してその接触位置に応じた所定の電気的回路を形成し得る可動接点と、前記接点板に形成され、端子台の所定位置に配設された後、分断されて導通の遮断が図られる分断部と、前記端子台における前記分断部に対応する位置に形成され、当該分断部を分断すべく切除手段を嵌入するための分断孔とを具備し、前記端子台を成形するとともに、前記接点板を当該端子台の所定位置に配設した後、前記接点板に形成された分断部を分断して導通を遮断することによって所定の回路を得るインヒビタスイッチの製造方法において、前記端子台の成形時、前記分断孔の周縁を立ち上げて壁部を一体成形することを特徴とする。
【００１３】
請求項５記載の発明は、請求項４記載のインヒビタスイッチの製造方法において、前記壁部は、前記分断孔の全周に亘って形成されたことを特徴とする。
【発明の効果】
【００１４】
請求項１又は請求項４の発明によれば、分断孔の周縁部に壁部を立設したので、分断部を分断させるための分断孔からオイルが浸入し難くすることにより、製造コストを抑制しつつ、オイル中の導電性異物による意図しない導通を回避することができる。
【００１５】
請求項２又は請求項４の発明によれば、壁部が端子台と一体成形された部位とされたので、当該端子台の成形工程時に壁部を形成することができ、製造工程を簡素化することができる。
【００１６】
請求項３又は請求項５の発明によれば、壁部が分断孔の全周に亘って形成されているので、より分断孔からオイルが浸入し難くすることができ、製造コストを抑制しつつ、オイル中の導電性異物による意図しない導通をより確実に回避することができる。
【発明を実施するための最良の形態】
【００１７】
以下、本発明の実施形態について図面を参照しながら具体的に説明する。
本実施形態に係るインヒビタスイッチは、自動車の自動変速機のミッションケース内に配設され、セレクトレバーの変速位置を検知するためのものであり、図１及び図２に示すように、樹脂成形品などから成る端子台２と、金属製の接点板３、４と、可動接点５ｂが形成された操作部５と、金属製のケース６とから主に構成されている。
【００１８】
端子台２は、その表面側（図１及び図２における上面側）にその長手方向に延びる案内レール２ｃが一体的に形成され、それら上下に隣接した案内レール２ｃ間において同方向に延びる複数の溝部２ａを成している。即ち、案内レール２ｃは、端子台２の表面で凸条に延び、図５で示す如く、隣り合う案内レール２ｃの間に溝部２ａが形成されているのである。
【００１９】
尚、端子台２には、上下２段の接点板３、４が取り付けられ、その上段側の接点板３の一部表面が端子台２の溝部２ａ内で外部に臨むよう構成されており、案内レール２ｃで案内された可動接点５ｂが摺動し得るよう構成されている。これら接点板３、４は、それぞれ例えば導電性の金属板をプレス等で抜き及び折り曲げ加工して所定形状とされたものから成る。
【００２０】
これら接点板３、４は、それぞれ例えば導電性の金属板をプレス等で抜き及び折り曲げ加工して所定形状とされたものから成る。また、上下２段の接点板３、４には、それら端部にそれぞれ端子部３ａ、４ａが形成されており、これら端子部３ａ、４ａがコネクタ部２ｂに位置するよう設定されている。これにより、外部機器等（例えばミッションケース内に配設されたコントローラ等）に形成されたコネクタ（不図示）をコネクタ部２ｂの端子部３ａ、４ａに接続すれば、インヒビタスイッチ１の検知信号を外部機器等に送信し得るようになっている。
【００２１】
ケース６は、端子台２の表面側を覆って取り付けられるとともに、フランジ部６ｂが一体的に形成されており、該フランジ部６ｂに形成されたボルト孔６ｂａに図示しないボルトを挿通させることにより、ケース６及び端子台２をミッションケース（不図示）内の所定位置に固定させ得るよう構成されている。更に、ケース６には、その長手方向に直線状の長孔６ａが形成され、当該長孔６ａに操作部５のレバー部５ａが挿通されるよう構成されている。
【００２２】
一方、操作部５は、自動車のセレクトレバーと連動して接点板５ｂに沿って動作し得るもので、図２及び図３に示すように、当該セレクトレバーの操作と連動するレバー部５ａと、接点板３上を摺動し得る可動接点５ｂと、案内レール２ｃで案内されて溝部２ａに沿って操作部５を摺動させる被案内部５ｃとが形成されて成る。即ち、操作部５は、ケース６と端子台２との間に収容されつつ、突設されたレバー部５ａを介してセレクトレバーの操作が伝達され、その操作に応じて接点板３上を摺動可能とされている。
【００２３】
尚、可動接点５ｂは、端子台２に形成された溝部２ａと対応して形成されているため、操作部５が被案内部５ｃにて案内されつつ動作すると、可動接点５ｂが当該溝部２ａ内における接点板３上を摺動することとなる。しかして、インヒビタスイッチ１は、ミッションケース内に配設され、当該ミッションケース内に満たされたオイルで浸されて使用されるので、操作部５の動作により端子台２の表面（特に、可動接点５ｂが摺動する側の面）に沿ってオイルが強制的に流動することとなる。
【００２４】
然るに、操作部５が接点板３上を摺動することにより、可動接点５ｂと接点板３とが接触して電気的接続が図られるとともに、その接触位置に応じて所定の電気的回路が形成されるよう構成されている。従って、所定の電気的回路からセレクトレバーの変速位置を検知することができ、当該検知に基づき自動変速機の動力伝達経路をセレクトレバーの変速位置に対応させて制御することができるよう構成されている。尚、接点板３と４とは所定箇所にて電気的に接続されており、これら２つの接点板３、４を含んで電気的所定回路が形成されるようになっている。
【００２５】
ところで、接点板３、４には、図４に示すように、端子台２の所定位置に配設された後、分断されて導通の遮断が図られる分断部８、９が形成されている。かかる分断部８、９は、専ら製造過程において複数列又は複数部位から成る接点板３又は４がばらばらに分離しないよう、隣り合う列又は部位同士を連結するためのもので、完成後のインヒビタスイッチ１においては、導通を遮断すべく切除される部位である。
【００２６】
また、端子台２における分断部８、９に対応する位置には、図５及び図６に示すように、パンチ等の切除手段７（図７参照）を嵌入可能な分断孔１０が形成されている。かかる分断孔１０は、端子台２の表裏面に開口された貫通孔から成るものであり、図７（ａ）に示すように、分断孔１０の開口に亘って分断部８、９を位置させるとともに、当該開口に対応したパンチ等の切除手段７を分断孔１０に嵌入させれば、同図（ｂ）に示すように、分断部８、９を分断し得るよう構成されている。尚、分断部８、９の分断後においても、図５及び図６に示すように、当該分断孔１０を介して分断箇所が外部に臨むこととなる。
【００２７】
ここで、本実施形態においては、図５〜図８に示すように、複数の分断孔１０のそれぞれの周縁部に壁部１１（リブ）が立設されている。かかる壁部１１は、端子台２の成形時に一体的に成形された突出部位から成り、当該端子台２の表面側の開口及び裏面側の開口の周縁部にそれぞれ形成されている。これにより、図８に示すように、操作部５の動作に伴い端子台２の表面に沿って強制的に生じるミッションケース内のオイルの流れｍに対し、壁部１１が抗することとなり、分断孔１０内へのオイルの浸入を抑制することができる。
【００２８】
従って、分断孔１０からオイルが浸入し難くすることにより、分断部８、９の分断箇所において、オイル中の導電性異物による意図しない導通を回避することができる。また、壁部１１が端子台２と一体成形された部位とされたので、当該端子台２の成形工程時に壁部１１を形成することができ、製造工程を簡素化することができる。かかる壁部１１のうち溝部２に形成されたものは、操作部５の操作に伴う被案内部５ｃの動作を妨げない突出寸法としてある。
【００２９】
更に、本実施形態によれば、分断孔１０に樹脂を充填するため二次成形等別途の工程を不要とできるので製造コストを抑制することができる。また更に、パンチ等の切除手段７を複数の分断孔１０に対して同時に嵌入し得るものとすれば、多数ある各分断部８、９を同時に複数箇所で分断することができ、製造工程を更に簡素化することができる。
【００３０】
尚、壁部１１は、分断孔１０の全周に亘って形成されていれば、当該分断孔１０からオイルがより浸入し難くすることができ、製造コストを抑制しつつ、オイル中の導電性異物による意図しない導通をより確実に回避することができる。然るに、予想されるオイルの流れを考慮して、その方向のみ（例えば、図５における左右方向のみ）に壁部１１を形成するようにしてもよい。
【００３１】
上記インヒビタスイッチ１によれば、運転者がセレクトレバーを操作すると、その操作と連動してレバー部５ａが操作され、操作部５が接点板３上を直線状に摺動し、その接触位置に応じた所定の電気的回路が形成される。このとき、分断部８、９の導通の遮断が突起部１１、１２によって確実に維持されるので、ショート等の電気的不具合を確実に防止し、インヒビタスイッチ１の信頼性を向上させることができる。
【００３２】
次に、上記インヒビタスイッチ１の製造方法について説明する。
まず、端子台２を成形するための成形型における所定位置に、分断部８、９によりそれぞれ連結された接点板３、４を位置決め固定しておく。そして、当該成形型内に樹脂を流し込み、接点板３、４をインサート成形しつつ端子台２を成形する。このとき、各分断部８、９に対応する位置に分断孔１０を形成することにより、当該分断孔１０を介して分断部８、９を複数箇所で外部に臨ませた状態とする。
【００３３】
また、形成される分断孔１０の周縁部（全周又はその一部の両者を含む）を突出させ、端子台２と一体的に壁部１１を形成する。一方、上記の如く接点板３、４が端子台２に固定された後、分断孔１０ａ、１０ｂにパンチ等の切除手段７を嵌入させることにより、分断部８、９を複数箇所で同時に分断する。こうして、接点板３、４をインサート成形しつつ分断孔１０の周縁部に壁部１１が立設された端子台２が得られるので、これに操作部５及びケース６等を取り付ければ本実施形態に係るインヒビタスイッチ１が得られる。
【００３４】
以上、本実施形態について説明したが、本発明はこれに限定されるものではなく、上述の如く分断部を有した接点板を上下２段に配設されているものの他、１段のものであってもよく或いは３段以上のものであってもよい。また、本実施形態においては、操作部がセレクトレバーの操作と連動して接点板上を直線状に摺動するものであるが、これに代えて、例えば固定接点を弧状（又は円周状）に形成するとともに、操作部を弧状（円周状）に摺動させるものとしてもよい。
【産業上の利用可能性】
【００３５】
分断孔の周縁部に立設された壁部を具備したインヒビタスイッチ及びその製造方法であれば、外観形状が異なるもの或いは他の機能が付加されたもの等にも適用することができる。
【図面の簡単な説明】
【００３６】
【図１】本発明の実施形態に係るインヒビタスイッチの外観を示す全体斜視図
【図２】同インヒビタスイッチの内部構成を示すための分解斜視図
【図３】同インヒビタスイッチにおける操作部を示す斜視図
【図４】同インヒビタスイッチにおいて上下複数段に配設される接点板を示す斜視図
【図５】同インヒビタスイッチの端子台の表面側を示す平面図
【図６】図５におけるＶＩ−ＶＩ線断面図
【図７】同インヒビタスイッチの分断孔による分断部の分断方法について説明するための図であって、（ａ）分断部の分断前を示す模式図（ｂ）分断部の分断後を示す模式図
【図８】同インヒビタスイッチにおける分断孔の周縁部に形成された壁部の作用を示すための断面模式図
【符号の説明】
【００３７】
１    インヒビタスイッチ
２    端子台
３    接点板
４    接点板
５    操作部
５ｂ  可動接点
６    ケース
７    切除手段（パンチ）
８    分断部
９    分断部
１０  分断孔
１１  壁部
【図１】
2007285490.tif 000003
【図２】
2007285490.tif 000004
【図３】
2007285490.tif 000005
【図４】
2007285490.tif 000006
【図５】
2007285490.tif 000007
【図６】
2007285490.tif 000008
【図７】
2007285490.tif 000009
【図８】
2007285490.tif 000010